(57)【要約】【課題】天井面の複数箇所から音を出力して室内に演出効果及び臨場感のある音を出力でき、部屋に配置したテレビや家具等が出力した音の障害となることを防止でき、外観が良く、出力した音の振動が周囲に伝わることを防止でき、高音質の音を出力できる内装板音出力システムを提供する。【解決手段】部屋７の天井面を励振器２ａにより振動して室内に音を出力する。部屋７の天井面を複数枚の天井板１で構成する。天井面の異なる複数箇所に設けた各天井板１ａに励振器２ａを設ける。各励振器２ａにより該当する天井板１ａを夫々独立して振動させる。【選択図】図１
2008271435.tif 000002
【特許請求の範囲】
【請求項１】
部屋の天井面を励振器により振動して室内に音を出力する内装板音出力システムであって、前記部屋の天井面を複数枚の天井板で構成し、天井面の異なる複数箇所に位置する各天井板に励振器を設け、各励振器により該当する天井板を夫々独立して振動させることを特徴とする内装板音出力システム。
【請求項２】
前記部屋の壁面を構成する壁板又は部屋の床面を構成する床板に壁板又は床板を振動して音を出力する励振器を設けて成ることを特徴とする請求項１に記載の内装板音出力システム。
【請求項３】
前記天井面の対向する一対の端縁間の中心を通る線を中心線ａとし、天井面において前記中心線ａを中心に線対称となるように一対の励振器を設けて成ることを特徴とする請求項１又は請求項２に記載の内装板音出力システム。
【請求項４】
音源から出力した音信号をサラウンド処理して各励振器に入力する音処理部を設けて成ることを特徴とする請求項１乃至３のいずれか１項に記載の内装板音出力システム。
【発明の詳細な説明】
【技術分野】
【０００１】
本発明は部屋の内装面を構成する天井面を励振器により振動して音を出力する内装板音出力システムに関する。
【背景技術】
【０００２】
従来から、図５に示すようなステレオ装置等からなる音源３０と該音源３０に接続したスピーカ装置３１を部屋に設置した音響システムが知られているが、このようにスピーカ装置３１を部屋に設置した場合には、スピーカ装置３１と音源３０を接続する配線９が部屋内に露出してしまうという問題がある。
【０００３】
また従来では、壁にスピーカ装置を取り付ける又は組み込み、スピーカ装置と音源を壁裏等に引き回した配線で接続したものがあるが、このように壁にスピーカ装置を設けると、部屋に配置したテレビや家具等がスピーカ装置から出力される音の障害となる恐れがあり、また壁とは別に設けたスピーカ装置が室内に露出するため、部屋の外観を阻害するという問題もある。
【０００４】
また、例えば特許文献１には天井に開口した作業口に作業口蓋を構成するスピーカ装置を設けたものがあるが、このものも天井とは別に設けたスピーカ装置が外観を阻害し、またこの特許文献１は天井の複数箇所にスピーカ装置を設けていないため、複数のスピーカ装置で音を出力できず演出効果が低い。
【０００５】
また例えば特許文献２には、浴室の作業口蓋の表面を構成する一枚の鋼板の裏面に複数の励振器を設けて作業口蓋をスピーカ装置としたものが開示されているが、このものは一枚の鋼板の裏面に複数の励振器を設けているために、励振器によって鋼板を振動させた時に、この振動が鋼板の他の励振器によって振動する部位に伝わり易く、音出力に悪影響を与える恐れがある。
【特許文献１】特開２００６−３３２８６１号公報
【特許文献２】特開２００６−１３３６３９号公報
【発明の開示】
【発明が解決しようとする課題】
【０００６】
本発明は上記従来の問題点に鑑みて発明したものであって、天井面の複数箇所から音を出力して室内に演出効果及び臨場感のある音を出力でき、また部屋に配置したテレビや家具等が出力した音の障害となることを防止でき、また外観が良く、さらには出力した音の振動が周囲に伝わることを防止でき、高音質の音を出力できる内装板音出力システムを提供することを課題とする。
【課題を解決するための手段】
【０００７】
本発明に係る内装板音出力システムは、部屋７の天井面を励振器２ａにより振動して室内に音を出力する内装板音出力システムであって、前記部屋７の天井面を複数枚の天井板１で構成し、天井面の異なる複数箇所に位置する各天井板１ａに励振器２ａを設け、各励振器２ａにより該当する天井板１ａを夫々独立して振動させることを特徴とする。
【０００８】
このような構成により、天井面の複数箇所から音を出力して室内に演出効果や臨場感のある音を出力でき、また天井から音を出力することで部屋７に配置したテレビや家具等が出力した音の障害となることを防止できる。また天井面は励振器２ａによって振動する部分も含めて全て同様の外観を有する天井板１によって構成されるため、外観が良い。さらには天井面の複数箇所に位置する各天井板１ａは励振器２ａによって独立して振動させることができ、この場合、別々の天井板１ａに励振器２ａを設けるので、各励振器２ａの振動が周囲に伝わることを防止でき、この振動が音の出力に悪影響を与えることを防止でき、尚且つこの振動が他の天井板１ａによる音の出力に悪影響を与えることも防止できる。
【０００９】
また、前記部屋７の壁面を構成する壁板１５ａ又は部屋７の床面を構成する床板１５ｂに壁板１５ａ又は床板１５ｂを振動して音を出力する励振器２ｂ、２ｃを設けることが好ましい。この場合、壁面や床面からも音を出力でき、より演出効果や臨場感のある音を出力できる。
【００１０】
また、前記天井面の対向する一対の端縁間の中心を通る線を中心線ａとし、天井面において前記中心線ａを中心に線対称となるよう一対の励振器２ａを設けることが好ましい。この場合、室内の中央付近に居る人にとって左右対称となる位置にある励振器２ａから音を出力でき、より演出効果や臨場感のある音を出力できる。
【００１１】
また、音源から出力した音信号をサラウンド処理して各励振器２ａ〜ｃに入力する音処理部１４を設けることが好ましい。複数の励振器によりサラウンド処理された演出効果や臨場感のある音を出力できる。
【発明の効果】
【００１２】
本発明では、天井面の複数箇所から音を出力して室内に演出効果の高い音を出力でき、また天井から音を出力するので部屋に配置したテレビや家具等が出力した音の障害となることを防止できる。また天井面は励振器によって振動する部分も含めて全て同様の外観を有する天井板によって構成されるため、外観が良い。さらには励振器によって一枚の天井板を独立して振動させることができ、またこれにより高音質の音を出力できる。
【発明を実施するための最良の形態】
【００１３】
以下、本発明を添付図面に示す実施形態に基づいて説明する。図１は本実施形態の一例の内装板音出力システムを適用した建物の一室を示す説明図であり、この部屋７としてはリビング、寝室、書斎、子供部屋７、キッチン、トイレルーム等の居室が挙げられる。部屋７の天井面、壁面、床面には励振器（エキサイタ）２を設けてあり、このように設けた各励振器２により天井面、壁面、床面を振動させ音を発生させることで室内に音を出力できるようになっている。なお、以下の説明において特に区別する場合には、天井面、壁面、床面に設けた励振器を夫々を天井用励振器２ａ、壁用励振器２ｂ、床用励振器２ｃと記載する。
【００１４】
まず、天井用励振器２ａの取付け構造について説明する。
【００１５】
部屋７の天井面は図２に示すように内装板となる天井板１を複数枚並べて天井下地用構造材４に取り付けることで構成してある。これら天井面を構成する天井板１としては、天井用励振器２ａにより直接振動させられて音を発生させる音出力用天井板１ａと、音を発生させない普通天井板１ｂのうちいずれかが使用され、天井面の大部分は普通天井板１ｂで構成され、天井面の複数箇所が部分的に音出力用天井板１ａで構成される。
【００１６】
音出力用天井板１ａは、ケナフ材、合板、その他の木材、鉄、アルミニウム等の金属、ロックウール材、石膏等で形成してある。音出力用天井板１ａの上面の外周には矩形状をした枠体３を固着してあり、枠体３はアルミニウム、鉄等の金属や、樹脂、木材等で形成してある。音出力用天井板１ａの上面の枠体３に囲まれた部分には前記天井用励振器２ａを設けてあり、天井用励振器２ａは一枚の音出力用天井板１ａに対して１個だけ設けられる。また枠体３の上端部に囲まれた部分を覆うように裏板１７を設けてある。そして音出力用天井板１ａ、枠体３、天井用励振器２ａ、裏板１７で音出力用天井板ユニットＡを構成し、これにより音信号が天井用励振器２ａに入力されることで振動板としての音出力用天井板１ａを直接振動させて室内に向けて音を発生するようにしてある。なお天井用励振器２ａは一枚の音出力用天井板１ａに対して１個だけ設けられる。
【００１７】
音出力用天井板１ａ及び普通天井板１ｂを取り付ける天井下地用構造材４は一定間隔で平行に並設した長尺な梁４ａからなり、これら梁４ａの下面側に掛け渡すようにして音出力用天井板１ａ及び普通天井板１ｂは取付けられる。梁４ａに上記音出力用天井板ユニットＡを取り付けるには、梁４ａの下面側に矩形状をした固定用枠５を固着し、この固定用枠５の下面側に矩形状の枠体３の上面側をスペーサー用インシュレータ６を介在させてねじ具１２により固着する。固定用枠５はアルミニウム、鉄等の金属や、樹脂、木材等で形成してある。このように枠体３を固定用枠５にスペーサー用インシュレータ６を介在させて固着することで、音出力用天井板１ａの音を発生させるための振動が固定用枠５側に伝わらず、音出力用天井板１ａを振動させて音を発生させるに当たって高音質の音を発生させることができる。
【００１８】
また普通天井板１ｂは上記音出力用天井板１ａとは縁をきった状態で梁４ａに取り付けられる。普通天井板１ｂを梁４ａに取り付けるには、普通天井板１ｂの上面の端部に固着した野縁２６を梁４ａに上端部を固着した吊り木２７の下端部に固着する。
【００１９】
梁４ａに固定した固定用枠５に音出力用天井板１ａの上面に設けた枠体３を取り付けるため、隣接する普通天井板１ｂに音出力用天井板１ａを取り付ける必要がなく、このため、音を発生させる音出力用天井板１ａの振動が普通天井板１ｂ側に伝わらないように、図２に示すように音出力用天井板１ａと普通天井板１ｂとの間に隙間を設けて両者が非接触の状態とすることができ、音出力用天井板１ａが音を発生させるために振動した際、該振動が隣接する普通天井板１ｂに伝わらず、この点でも天井面の一部を構成する音出力用天井板１ａを振動させて音を発生させるに当たって高音質の音を発生させることができる。なお、上記普通天井板１ｂ及び音出力用天井板１ａで構成された天井面の全体には、前述の音出力用天井板１ａと普通天井板１ｂとの間の隙間を含めてクロス等の天井面仕上げ材２８が貼着される。
【００２０】
また、壁用励振器２ｂ及び床用励振器２ｃの取付け構造については、図示は省略するが、上記天井用励振器２ａの取付け構造と同様のものである。即ち、壁用励振器２ｂ及び床用励振器２ｃは、天井用励振器２ａと同様に、壁板１５ａ又は床板１５ｂからなる内装板１５の裏面に設けてある。部屋７の壁面及び床面を構成する壁板１５ａ又は床板１５ｂとしては、音を発生させない普通内装板と、壁用励振器２ｂ又は床用励振器２ｃにより直接振動させられて音を発生させる音出力用内装板のいずれかが使用され、このうち音出力用内装板に壁用励振器２ｂや床用励振器２ｃを設けて音出力用壁板ユニットＢ又は音出力用床板ユニットＣを構成する。なお、壁板１５ａ及び床板１５ｂは柱や間柱等からなる壁下地用構造材又は根太等からなる床下地構造材に掛け渡すようにして取り付けられる。また、壁用励振器２ｂ及び床用励振器は１枚の壁板１５ａ又は１枚の内装板１５に対して１個だけ設けられる。
【００２１】
ここで図１に示すように平面視において矩形の天井面の対向する一対の端縁間の中間を通過する中心線ａとし、中心線ａと平行な方向を前後方向とすると、上記天井用励振器２ａ（音出力用天井板ユニットＡ）は天井面において前記中心線ａを中心に線対称となるよう前後に１対ずつ計４個設けてある。また、壁用励振器２ｂ（音出力用壁板ユニットＢ）は前記中心線ａを挟んだ一対の対向する壁面の夫々の前部に位置し、対向位置に配置される。さらに、床用励振器２ｃ（音出力用床板ユニットＣ）は床面の後部に位置している。
【００２２】
図３は本例の内装板音出力システムのブロック図である。内装板音出力システムは、音源が接続される１個のアンプ装置１０からなる音信号入力手段と、アンプ装置１０から出力された音信号が入力される前記音出力用天井板ユニットＡ、音出力用壁板ユニットＢ、音出力用床板ユニットＣを備えている。音源８は部屋７の前側の壁に沿って設置したテレビで構成してある。なお音源８はテレビ８に限定されず、ステレオ装置等であっても良い。
【００２３】
アンプ装置１０は部屋７の壁、床、壁に沿って設けた収納家具、備え付け家具等に内蔵されるものであって、図示例では収納家具に内蔵してある。アンプ装置１０は、音源に接続されて音信号が入力される入力部１３と、入力部１３から入力された音信号をサラウンド信号に処理する音処理部１４と、音処理部１４を介して入力された音信号を増幅するアンプ部１６を備え、音処理部１４及びアンプ部１６で処理した音信号を前記各音出力用天井板ユニットＡの天井用励振器２ａ、各音出力用壁板ユニットＢの壁用励振器２ｂ、音出力用床板ユニットＣの床用励振器２ｃに割り振って出力する。なおアンプ装置１０のアンプ部１６と各励振器２ａ〜ｃを接続する配線９は天井裏や壁裏、床下に通されて室内に露出しないように配線される。また本例のアンプ装置１０は、天井用励振器２ａ、壁用励振器２ｂ、床用励振器２ｃからなる計７個の励振器２ａ〜ｃに対して１個だけ設けてある。
【００２４】
上記内装板音出力システムにより室内に音を出力するには音源から音信号を出力する。これにより音源からの音信号は入力部１３、音処理部１４、アンプ部１６を介してアンプ装置１０から出力され、該音信号が前記４個の天井用励振器２ａ及び２個の壁用励振器２ｂ及び１個の床用励振器２ｃに入力され、対応する天井板１ａ、壁板１５ａ、床板１５ｂを直接且つ独立して振動させる。これにより各励振器２ａ〜ｃにより駆動した天井板１ａ及び壁板１５ａ及び床板１５ｂから音が出力され、しかして室内には音源からの音信号が天井板１ａや壁板１５ａ、床板１５ｂから音として出力される。
【００２５】
このように本例の内装板音出力システムは、天井面の複数箇所から音を出力して室内にサラウンドのような演出効果や臨場感のある音を出力でき、また天井から音を出力するので部屋７に配置したテレビや家具等が出力した音の障害となることを防止できる。また天井面は天井用励振器２ａによって振動する部分も含めて全て同様の外観を有する天井板によって構成されるため、従来のように天井とは別にスピーカ装置３１を設けたものと比較して外観が良い。さらには天井用励振器２ａによって一枚の天井板１ａを独立して振動させることができ、この振動が周囲に伝わって音の出力に悪影響を与えることを防止でき、尚且つこの振動が他の天井板１ａによる音の出力に悪影響を与えることも防止できる。
【００２６】
また本例では、部屋７の壁面を構成する壁板１５ａに壁用励振器２ｂを設け、また部屋７の床面を構成する床板１５ｂに床用励振器２ｃを設けることで、壁面や床面からも音を出力でき、より演出効果や臨場感のある音を室内に出力できる。
【００２７】
また本例では、前記天井面の対向する一対の端縁間の中心を通る線を中心線ａとし、天井面において前記中心線ａを中心に線対称となる位置に前記天井用励振器を設けているので、室内の中央付近に居る人にとって左右対称となる位置にある天井用励振器からサラウンド処理された音を出力でき、より演出効果や臨場感のある音を室内に出力できる。
【００２８】
なお上記各例では部屋７の天井の４箇所に天井用励振器２ａを設けたが、天井用励振器２ａは天井面の２箇所や３箇所など複数箇所に設けてあれば良い。また部屋７の壁面を構成する壁板１５ａ及び床面を構成する床板１５ｂに壁用励振器２ｂ及び床用励振器２ｃを設けたが、これら壁用励振器２ｂ及び床用励振器２ｃのうち壁用励振器２ｂのみ設けてあっても良いし、床用励振器２ｃのみ設けてあっても良いし、また両方共設けず、天井用励振器２ａのみ設けてあっても良い。また上記一例の内装板音出力システムを構成するアンプ装置１０は図４に示すように部屋７の壁面に沿って設けた収納家具に収納するなどして、室内側に露出するようにしても良い。
【図面の簡単な説明】
【００２９】
【図１】本発明の実施の形態の一例の内装板音出力システムを設けた部屋の斜視図である。
【図２】同上の部屋の天井部分の断面図である。
【図３】同上の内装板音出力システムのブロック図である。
【図４】他例の内装板音出力システムを設けた部屋の斜視図である。
【図５】従来の音響システムを示す説明図である。
【符号の説明】
【００３０】
ａ  中心線
１  天井板
１ａ  音出力用天井板
２ａ  励振器
７  部屋
１４  音処理部
１５ａ  壁板
１５ｂ  床板
【図１】
2008271435.tif 000003
【図２】
2008271435.tif 000004
【図３】
2008271435.tif 000005
【図４】
2008271435.tif 000006
【図５】
2008271435.tif 000007